(57)【要約】【課題】移動する被写体を容易に撮影できるデジタルカメラを提供する。【解決手段】撮影光学系によって形成された被写体像を撮像する撮像手段と、この撮像手段によって撮像した画像に基づいて特定の被写体に対して合焦させる自動焦点調節手段と、撮像手段により撮像した画像データを記録する記録媒体とを備えたデジタルカメラであって、デジタルカメラのぶれを検出するぶれ検出手段と、上記自動焦点調節手段が動作して所定の被写体に合焦した後、上記ぶれ検出手段が所定のぶれを検出したときに、上記撮像手段を撮像動作させて撮像した画像データを記録媒体に記録する追随撮影処理を実行する制御手段を備えた。【選択図】図４
2010220023.tif 000002
【特許請求の範囲】
【請求項１】
撮影光学系によって形成された被写体像を撮像する撮像手段と、この撮像手段によって撮像した画像に基づいて特定の被写体に対して合焦させる自動焦点調節手段と、撮像手段により撮像した画像データを記録する記録媒体とを備えたデジタルカメラであって、
デジタルカメラのぶれを検出するぶれ検出手段と、
上記自動焦点調節手段が動作して所定の被写体に合焦した後、上記ぶれ検出手段が所定のぶれを検出したときに、上記撮像手段を撮像動作させて撮像した画像データを記録媒体に記録する追随撮影処理を実行する制御手段を備えたことを特徴とするデジタルカメラ。
【請求項２】
請求項１記載のデジタルカメラにおいて、上記所定のぶれはカメラボディの所定加速度または速度範囲によるパーンまたはチルトであって、上記制御手段は、上記ぶれ検出手段が上記パーンまたはチルトを検知したときに上記追随撮影処理を実行するデジタルカメラ。
【請求項３】
請求項２記載のデジタルカメラにおいて、上記ぶれ検出手段はジャイロセンサを有し、ジャイロセンサを介して上記所定のぶれがパーンまたはチルトであるか否かを検知するデジタルカメラ。
【請求項４】
請求項１乃至３のいずれか一項記載のデジタルカメラにおいて、上記制御手段は、上記所定のぶれを検出した後上記追随撮影処理を実行する前に、上記自動焦点調節手段に上記合焦した所定の被写体に対して追随合焦処理を実行させるデジタルカメラ。
【請求項５】
請求項１乃至３のいずれか一項記載のデジタルカメラにおいて、上記自動焦点調節手段は、上記所定の被写体に合焦した後に、その所定の被写体に対して追随合焦処理を継続し、上記ぶれ検出手段が上記所定のぶれを検出したときに撮影処理を実行するデジタルカメラ。
【請求項６】
請求項１乃至３のいずれか一項記載のデジタルカメラにおいて、上記撮影光学系はズームレンズであって、上記制御手段は、上記ズームレンズがズーム操作されたことを検知したときに上記追随撮影処理を実行するデジタルカメラ。
【請求項７】
請求項１乃至３のいずれか一項記載のデジタルカメラにおいて、上記撮影光学系はズームレンズであって、上記制御手段は、上記ズームレンズがズーミングを開始するとき、またはズーミングが終了したときのいずれ一方または双方のときに上記追随撮影処理を実行するデジタルカメラ。
【請求項８】
請求項１記載のデジタルカメラにおいて、上記制御手段はさらに、上記撮像手段を定期的に撮像駆動するモニタモードで動作させて、このモニタモードで撮影した撮影画面内において上記所定の被写体画像が変化したことを検知したときに上記追随撮影処理を実行するデジタルカメラ。
【請求項９】
請求項８記載のデジタルカメラにおいて、上記所定の被写体画像の変化は、撮影画面内において所定値以上移動したことであるデジタルカメラ。
【請求項１０】
請求項８記載のデジタルカメラにおいて、上記合焦被写体像の変化は、撮影画面内において上記合焦被写体画像の大きさが所定値以上変化したときであるデジタルカメラ。
【発明の詳細な説明】
【技術分野】
【０００１】
本発明は、自動焦点調節装置を備え、被写体の動きに追随してレリーズするデジタルカメラに関する。
【背景技術】
【０００２】
カメラにおいて、高倍率のズームレンズを搭載したものが種々開発されている。ズームレンズの焦点距離が長くなると、画角が狭くなり、被写体が少し移動しても撮影画面上での移動距離が長くなるので、被写体を撮影画面内に捉えることは困難であり、被写体を撮影画面内に捉えて撮影するのは困難であった。そこで、カメラを三脚等に固定し、被写体が撮影画面内に入ったときにオートレリーズするカメラが開発されている（特許文献１、２、３）。
【先行技術文献】
【特許文献】
【０００３】
【特許文献１】実用新案登録第３１０８０８９号
【特許文献２】実用新案登録第３０６２０５８号
【特許文献３】特開２００５-９９１６３号
【発明の概要】
【発明が解決しようとする課題】
【０００４】
しかし、三脚を使用できない場合や移動しながら撮影したい場合など、カメラを手持ちで撮影しなければならない場合がある。例えば運動会や犬など活動的なペットの撮影である。撮影者がカメラを手持ちしてモニタ画面を見ながら被写体を追いかけ、合焦させた後、被写体が動いたときに面白い画像が撮れる。しかし、被写体の動きを注視していたとしても、レリーズボタンを押して撮影したときには被写体が撮影画面から外れている場合が多々あった。特に初心者は被写体を撮影画面内に捉えることに意識が集中し、レリーズボタンを押すタイミングが遅れて、実際に撮影されたときには目的の被写体が撮影画面から外れていた。
【０００５】
本発明は、かかる従来のカメラの問題に鑑みてなされたものであって、移動する被写体を容易に撮影できるデジタルカメラを提供することを目的とする。
【課題を解決するための手段】
【０００６】
本発明は、被写体が動き始めたときにシャッターチャンスが多々あること、近年のデジタルカメラはカメラのぶれを検出するセンサが搭載されていることに着目してなされたものである。かかる観点に基づきなされ、上記目的を達成する本発明は、撮影光学系によって形成された被写体像を撮像する撮像手段と、この撮像手段によって撮像した画像に基づいて特定の被写体に対して合焦させる自動焦点調節手段と、撮像手段により撮像した画像データを記録する記録媒体とを備えたデジタルカメラであって、デジタルカメラのぶれを検出するぶれ検出手段と、上記自動焦点調節手段が動作して所定の被写体に合焦した後、上記ぶれ検出手段が所定のぶれを検出したときに、上記撮像手段を撮像動作させて撮像した画像データを記録媒体に記録する追随撮影処理を実行する制御手段を備えたことに特徴を有する。
【０００７】
より実際的には、上記所定のぶれはカメラボディの所定加速度または速度範囲によるパーンまたはチルトとし、上記制御手段は、上記ぶれ検出手段が上記パーンまたはチルトを検知したときに上記追随撮影処理を実行する。上記ぶれ検出手段はジャイロセンサを有し、ジャイロセンサを介して上記所定のぶれがパーンまたはチルトであるか否かを検知する構成にできる。ジャイロセンサは、手ぶれ補正装置のものを利用できる。
【０００８】
上記制御手段は、上記所定のぶれを検出した後上記追随撮影処理を実行する前に、上記自動焦点調節手段に上記合焦した所定の被写体に対して追随合焦処理を実行させることが好ましい。
上記自動焦点調節手段は、上記所定の被写体に合焦した後に、その所定の被写体に対して追随合焦処理を継続し、上記ぶれ検出手段が上記所定のぶれを検出したときに撮影処理を実行してもよい。所定の被写体に対する合焦状態が維持されているので、追随合焦処理を完了するまでの経過時間が短くなる。
【０００９】
さらに本発明のデジタルカメラは、撮影光学系はズームレンズであって、上記制御手段は、上記ズームレンズがズーム操作されたことを検知したときに上記追随撮影処理を実行する構成としてもよい。ズーミング操作により撮影もできる。上記ズームレンズがズーミングを開始するとき、またはズーミングが終了したときのいずれ一方または双方のときに上記追随撮影処理を実行する構成とすれば、面白い画像を撮影できる機会が増える。
【００１０】
さらに別の観点からなる本発明は、上記制御手段はさらに、上記撮像手段を定期的に撮像駆動するモニタモードで動作させて、このモニタモードで撮影した撮影画面内において上記合焦被写体画像が変化したことを検知したときにも上記追随撮影処理を実行する。所定の被写体が動き始めたときの画像を容易に撮影することが可能になる。被写体画像の変化は、撮影画面内において所定値以上移動したとき、大きさが変化したとき、または輝度が変化したときとするのが実際的である。
【発明の効果】
【００１１】
本発明によれば、特定の被写体に一旦合焦した後に、レリーズボタンが操作されなくてもカメラが所定の動きをしたときに撮影されるので、撮影者は被写体の動き、構図に集中することが可能になり、シャッターチャンスを逃すことが少なくなる。
【図面の簡単な説明】
【００１２】
【図１】本発明を適用したデジタルカメラの実施形態を主要構成要素をブロックで示す図である。
【図２】同デジタルカメラの背面のディスプレイを示す図である。
【図３】同デジタルカメラのディスプレイに表示された被写体像の変化を示す図であって、（Ａ）は人物に最初に合焦した状態、（Ｂ）、（Ｃ）、（Ｄ）は同人物の移動に併せてデジタルカメラをパーンした状態、（Ｅ）は被写体が接近した状態をそれぞれ示す図である。
【図４】同デジタルカメラの追随撮影に関する処理をフローチャートで説明する図である。
【発明を実施するための形態】
【００１３】
本発明について、添付図に示した実施形態に基づいて説明する。図１は、本発明を適用するコンパクトデジタルカメラの一実施形態の主要構成をブロックで示した図である。このデジタルカメラ１０は、撮影光学系としてのズームレンズＬによって形成された被写体像をイメージセンサ１１で撮影するコンパクトデジタルカメラである。ズームレンズＬは、詳細は図示しないが、焦点調節レンズ群及び変倍レンズ群を含む。焦点調節レンズ群はＡＦレンズ駆動部１７によって駆動され、変倍レンズ群はズームレンズ駆動部１９によって駆動される。
【００１４】
このイメージセンサ１１は、制御部１５の制御下で動作する露出制御回路１３によって、モニタモード撮影及びスチル撮影動作する。制御部１５には、各種データを格納するフラッシュＲＯＭ１５ａ、ＡＥ用データなどを一時的に格納するＲＡＭ１５ｂが搭載されている。
【００１５】
イメージセンサ１１が撮像し、出力した画像信号は、ＡＦＥ（Analog Front End）２１によって増幅、Ａ／Ｄ変換等の処理が施され、デジタル画像信号（Ｒ信号、Ｇ信号、Ｂ信号のＲＡＷデータ）として画像信号処理回路２３に出力される。画像信号処理回路２３では、入力したＲＡＷデータに所定の画像信号処理（ホワイトバランス調整、ガンマ補正等）が施され、モニタ表示用の映像データに変換されてモニタ２７に表示され、また、設定された記録フォーマットに応じて、ＲＡＷデータのまま、あるいはＪＰＥＧデータ等に変換され、画像ファイルとして内蔵メモリ２５またはメモリカード３１、あるいは双方に書き込まれる。
【００１６】
制御部１５には、ジャイロセンサ３３が接続されている。制御部１５はこのジャイロセンサ３３の出力に基づき、デジタルカメラ１０のパーン及びチルトを検出する。
加速度が所定値以下かつ所定速度で一定方向に移動していると検知した場合をパーンまたはチルトとして検知する。なお、加速度が所定値以上、かつ所定時間未満に方向が反転していた場合は手ぶれとして検知する。
【００１７】
さらに制御部１５には、スイッチ類として、メインスイッチ３５と、レリーズボタン３７に連動して、レリーズボタン３７の半押しでオンする測光スイッチＳＷＳ、全押しでオンするレリーズスイッチＳＷＲと、ズームボタン３７に連動するズームスイッチＳＷＺが接続されている。メインスイッチ３５がオン操作されると、制御部１５は図示しないバッテリーに接続された電源回路をオンして、制御部１５以外の回路、部材に電源を供給し、メインスイッチ３５がオフ操作されると電源回路オフして制御部１５以外の部材以外の電源を遮断する。制御部１５は通常、電源オフ状態ではメインスイッチ３５を定期的にチェックするスリープ状態になり、電源オン状態ではモニタモード撮影を実行して撮影した画像をモニタ２７に表示するモニタモードで動作する。
【００１８】
測光スイッチＳＷＳがオンすると、制御部１５は、ＡＦレンズ駆動部１７によって焦点調節レンズ群を可動範囲内においてステップ駆動しながらイメージセンサ１１で撮像し、フォーカスエリア２７Ｆ内の画像のコントラストを検出して合焦位置をサーチし、合焦させる画像コントラスト法によるＡＦサーチ処理を実行し、さらに画像データに基づいてＡＥ演算を実行する。測光スイッチＳＷＳのオンに続いてレリーズスイッチＳＷＲがオンすると、制御部１５はスチルモードでイメージセンサ１１を駆動してスチル撮影し、画像データを所定フォーマットに変換して内蔵メモリ２５またはメモリカード３１に書き込む、スチル撮影処理を実行する。
【００１９】
ズームスイッチＳＷＺはテレスイッチ及びワイドスイッチを構成する２端子スイッチである。制御部１５はズームレンズ駆動部１９を介してズームレンズＬを、ズームスイッチＳＷＺのテレスイッチがオンするとテレズーム駆動し、ワイドスイッチがオンするとワイドズーム駆動する。
【００２０】
イメージセンサ１１は、制御部１５による制御下で、露出制御回路１３によって、モニタモード、またはスチルモードで撮影動作制御される。モニタモード撮影の場合は、所定フレームレート及び電子シャッタ速度を設定してそのフレームレート及び電子シャッタ速度で露出制御回路１３を介してイメージセンサ１１を駆動して撮像し、撮像した映像をモニタ２７に表示する。スチルモード撮影の場合は、電子シャッタ速度を設定して、露出制御回路１３を介してイメージセンサ１１を駆動して撮像し、撮像した画像データを所定フォーマットの画像ファイルに変換してメモリ２３またはメモリカード３１に書き込む。なお、図には機械シャッタ、絞りを表示していないが、通常は機械シャッタ及び絞りを備える。
【００２１】
本デジタルカメラの１０の画像コントラスト法によるＡＦ合焦処理は、以下の通りである。イメージセンサ１１により撮像され、ＡＦＥ１７から出力されたデジタル画像信号は、一部（Ｇ信号）がコントラストＡＦ演算回路２９に入力される。コントラストＡＦ演算回路２９は、フォーカスエリア２７Ｆ内のデジタル画像信号（Ｇ信号）からコントラストを求めて、制御部１５に出力する。制御部１５は、Ａフレンズ駆動部１７を介してズームレンズＬのフォーカスレンズ群ＬＦを一方向にステップ駆動しながら上記コントラストを入力し、入力した複数位置のコントラストによりコントラストがピークとなるフォーカスレンズ群ＬＦの位置をサーチ（スキャン）する。そうしてコントラストがピークになるフォーカスレンズ群ＬＦの位置、つまりフォーカスエリア２７Ｆ内の被写体に合焦するレンズ位置を求めて、求めた合焦レンズ位置にフォーカスレンズ群ＬＦを移動させる。
【００２２】
追随ＡＦ処理（追随合焦処理）は、ビデオカメラの画像コントラストＡＦ処理同様の処理であり、この実施形態では一旦合焦した後に実行するＡＦ合焦処理である。フォーカスレンズ群ＬＦをいずれかの方向にステップ駆動してイメージセンサ１１により撮像し、フォーカスエリア２７Ｆ内のデジタル画像信号のコントラストを検出して、コントラストの増減を求める。コントラストが増加していれば同方向にステップ駆動し、コントラストが減少していれば反対方向にステップ駆動してコントラスを検出し、増減に応じた方向にステップ駆動する処理を繰り返す。
【００２３】
次に、本発明の特徴である追随撮影動作について、図３を参照して説明する。図３は、モニタ２７の画面を模式的に現している。図３（Ａ）は、被写体としての人物５１、樹木５２、５３の中で主たる被写体として人物５１をフォーカスエリア２７Ｆ内に捉え、合焦した状態を示している。なお、デジタルカメラ１０の撮影モードは、追随撮影モードに設定されているものとする。
【００２４】
図３（Ｂ）は、（Ａ）の状態から人物５１が撮影者（デジタルカメラ１０）から見て左に動いたので、撮影者がデジタルカメラ１０を左にパーンして人物５１をフォーカスエリア２７Ｆ内（モニタ２７の中央）に捉えた様子を示している。デジタルカメラ１０の制御部１５は、このデジタルカメラ１０がパーンを開始したことをジャイロセンサ３３を介して検出し、フォーカスエリア２７Ｆ内の人物５１に対して追随ＡＦ処理を実行して再合焦状態として撮影し、画像データを内蔵メモリ２５にする。
【００２５】
図３（Ｃ）は、（Ｂ）の状態から人物５１がさらに左方向に移動し、人物５１の移動に追随させてデジタルカメラ１０を左方向にパーンした状態を示している。この場合も、デジタルカメラ１０の制御部１５は、このパーンをジャイロセンサ３３で検出して、フォーカスエリア２７Ｆ内の人物５１に対して再合焦させてスチル撮影し、画像データを内蔵メモリ２５に記録する。
【００２６】
図３（Ｄ）は、（Ｃ）の状態から人物５１がさらに左方向に移動し、人物５１の移動に追随させてデジタルカメラ１０を左方向にパーンした状態を示している。この場合も、デジタルカメラ１０の制御部１５は、このパーンをジャイロセンサ３３で検出して、フォーカスエリア２７Ｆ内の人物５１に対して再合焦させてスチル撮影し、画像データを内蔵メモリ２５に記録する。
【００２７】
図３（Ｅ）は、（Ｂ）の状態から人物５１がデジタルカメラ１０に近づいてきた状態を示している。この場合制御部１５は、人物５１の像が大きくなったこと（画面を占有する面積が大きくなったこと）を検知して、フォーカスエリア２７Ｆ内の人物５１に対して再合焦させて撮影し、画像データを内蔵メモリ２５に記録する。
【００２８】
また、このデジタルカメラ１０は、人物５１に合焦させた後にズームスイッチＳＷＺが操作されたときに、フォーカスエリア２７Ｆ内の人物５１に対して再合焦させて撮影し、画像データを内蔵メモリ２５に記録することができる。
【００２９】
以上の通り本発明のデジタルカメラ１０によれば、追随撮影モードにおいて、一度人物５１に対して合焦させると、その人物５１の像を特定被写体像に設定し、その人物５１の像が撮影画面内で移動または大きさが変化したときに、その人物５１に対して再合焦処理を実行してから撮影し、画像データを記録する。画像データの記録は、書き込み速度が速い方、通常はメモリカード３１よりも内蔵メモリ２５の方が速いので、先ず内蔵メモリ２５に記録するのが好ましい。
【００３０】
このデジタルカメラ１０の追随撮影モードによる動作について、図４に示したフローチャートを参照して説明する。このメインフローにはメインスイッチ３５（ＳＷＭａ）がオンし、電源がオンしたときに入るものとする。
【００３１】
メインフローに入ると、制御部１５のポート、ＲＡＭ１５ｂなどをソフト、ハード的に初期化し、モニタモード撮影を開始する(Ｓ１０１）。次に、追随撮影モードか否かをチェックし（Ｓ１０３）、追随撮影モードでなければ（Ｓ１０３：ＮＯ）、その他の処理に進む（Ｓ１２９）。その他の処理は、設定された撮影モードに応じた撮影処理などである。その他の処理は、例えば通常の撮影処理である。そうして、ステップＳ１２７に進み、電源オフで無く（Ｓ１２７：ＮＯ）、追従撮影モードでも無い（Ｓ１０３：ＮＯ）間は、ステップＳ１０３、Ｓ１３１、Ｓ１２７の通常撮影処理を繰り返す。以下、追随撮影モードが設定されている場合（Ｓ１０３：ＹＥＳ）について説明する。
【００３２】
制御部１５は、モニタモードで撮影動作して撮影したスルー画像をモニタ２７に表示する（Ｓ１０５）。そうして、測光スイッチＳＷＳがオンしたか否かチェックし（Ｓ１０７）、オンしていなければ（Ｓ１０７：ＮＯ）ステップＳ１０５に戻る。
【００３３】
測光スイッチＳＷＳがオンすると（Ｓ１０７：ＹＥＳ）、ＡＦ処理及びＡＥ処理を実行する（Ｓ１０９）。ここでのＡＦ処理は、フォーカスレンズ群ＬＦを近位置から遠位置方向にステップ駆動しながら撮影し、撮影ごとにフォーカスエリア２７Ｆ内の被写体画像のコントラストを検出して、コントラストのピークから合焦位置を求めるサーチ処理と、サーチ処理で求めた合焦位置にフォーカスレンズ群ＬＦを移動する合焦処理を含む。ＡＥ処理は、撮影した被写体画像の輝度を求めて最適な露出値（電子シャッター速度）を求める処理である。
【００３４】
なお、ステップＳ１０９のＡＦ処理を実行して合焦した後に再びステップＳ１０９の処理に入ったときは、サーチ処理を実行しないか、サーチ処理範囲を合焦位置の前後範囲に限定する。合焦しているのでサーチ処理は不要であり、またサーチ処理範囲を限定すると、短時間でサーチ処理及び合焦処理の実行が可能になり、かつ合焦状態を維持できる。
【００３５】
次に、ジャイロセンサ３３の出力に基づき、パーン（またはチルト）有りか無しかをチェックする（Ｓ１１１）。パーン（またはチルト）有りと判定しなかったとき（Ｓ１１１：ＮＯ）はステップＳ１０９に戻る。
【００３６】
パーン有りと判定したとき（Ｓ１１１：ＹＥＳ）は、追随ＡＦ処理及びＡＥ処理を実行して（Ｓ１１３）、フォーカスエリア２７Ｆ内の被写体に対して合焦状態を維持する。
【００３７】
次に、ズーム操作処理を実行する（Ｓ１１５）。ズーム操作処理は、ズームスイッチをチェックして、ズームスイッチが操作されているときはズーミングする。なお、ズーミングは別スレッドで制御され、ここではズーム操作の検知のみを行う。なお、ズーミング処理は短時間で終了しない場合があるので別スレッドで制御し、このフローでは、パーン有りか否か、否ならズーミング有りか否かをチェックして、ズーミング有りの場合にＡＦ追従処理及びＡＥ処理を実行する構成にしてもよい。
【００３８】
所定時間経過したか否かをチェックする（Ｓ１１７）。所定時間経過していないとき（Ｓ１１７：ＮＯ）は、ステップＳ１１３に戻る。なお、ここでの所定時間は、パーンしている最中に撮影及び記録を続ける間隔であって、100〜300ms程度が好ましい。この間隔は、使用者が選択できる構成にしてもよく、所定時間を設定せずに最速連写となるように設定してもよい。
【００３９】
所定時間経過したら（Ｓ１１７：ＹＥＳ）、パーンのスピードは適正か否かをチェックする（Ｓ１１９）。パーンのスピードが適正でない場合、例えば適正（範囲）よりも遅い場合はパーンでは無く、適正（範囲）よりも速すぎる場合は撮影意図では無い可能性が大なので適正では無いと判定する。パーンススピードが適正で無いと判定した場合（Ｓ１１９：ＮＯ）は、ステップＳ１２５に進む。
【００４０】
パーンスピードが適正であると判定した場合（Ｓ１１９：ＹＥＳ）は、撮像処理を実行し（Ｓ１２１）、撮像した画像を記録する（Ｓ１２３）。パーンスピードチェック処理により、レリーズスイッチＳＷＲをＯＮしなくても、デジタルカメラ１０が所定速度でパーンを開始したことをトリガーとして撮影される。
【００４１】
画像の記録（Ｓ１２３）が終了すると、パーン終了か否かチェックし（Ｓ１２５）、パーン終了でなければ（Ｓ１２５：ＮＯ）、ステップＳ１１３に戻る。つまり、パーンしている間は、追随ＡＦ処理によって合焦状態が維持され、連続的に撮像される。パーン終了か否かは、例えば、ステップＳ１１９でパーンスピードが適正でないと複数回連続して判定された場合、あるいは他のスイッチが操作された場合などである。また、別スレッドで測光スイッチＳＷＳなどのスイッチチェックを行って、測光スイッチＳＷＳがオフしたとき、追従撮影モードが解除、変更されたときなどもパーン終了とする。
【００４２】
パーン終了の場合（Ｓ１２５：ＹＥＳ）は、電源オフか否か（Ｓ１２７）、つまりメインスイッチ３５がオフか否かをチェックする。電源オフでなければ（Ｓ１２７：ＮＯ）ステップＳ１０３に戻り、電源オフの場合（Ｓ１２７：ＹＥＳ）は終了する。なお、終了すると、制御部１５以外への電源をオフし、定期的にメインスイッチ３５の状態をチェックする省電力状態になり、メインスイッチ３５がＯＮすると電源をオンして再びこの電源ＯＮ処理に入る。
【００４３】
以上の通りこのデジタルカメラによれば、測光スイッチＳＷＳがＯＮして特定の被写体に対して一旦合焦処理がなされたときは、その後レリーズスイッチＳＷＲがＯＮしなくても、デジタルカメラが所定速度範囲でパーンまたはチルトすると、追随ＡＦ処理等がなされて特定の被写体に対する合焦状態が維持され、撮影処理がなされるので、使用者は撮影したい被写体に集中することが可能になり、シャッターチャンスを逃すおそれも小さくなる。
【００４４】
本発明の他の実施形態では、一旦合焦したフォーカスエリア２７Ｆ内の被写体画像が変化、例えば、移動し、大きさが変化したこと、コントラストまたは輝度が変化したことを追随撮影条件として撮影処理を実行する。
【００４５】
図３（Ｅ）は、同図（Ｂ）の状態から人物５１がデジタルカメラ１０に接近した状態を示している。この場合、デジタルカメラ１０の制御部１５は、モニタモードした画像データ中、人物５１が大きくなったことを検出して、フォーカスエリア２７Ｆ内の人物５１に対して再合焦させてスチル撮影し、画像データを内蔵メモリ２５に記録する。
【００４６】
この実施形態によれば、追随撮影モードにおいて、一度人物５１に対して合焦させると、その人物５１の像を特定被写体像に設定し、その人物５１の像が撮影画面内で移動または大きさが変化したときに、その人物５１に対して追随ＡＦ処理を実行してから追随撮影し、画像データを記録することができる。
【００４７】
この実施形態では、デジタルカメラ１０のパーン及びチルトをジャイロセンサ３３により検知する構成としたが、手ぶれ補正装置を備えたカメラの場合は、手ぶれ検出用の加速度センサの出力を利用してパーン及びチルトを検出することができる。
【符号の説明】
【００４８】
１０  デジタルカメラ
１１  イメージセンサ
１５  制御部
１７  ＡＦレンズ駆動部
１９  ズームレンズ駆動部
２３  画像信号処理回路
２５  内蔵メモリ
２７  モニタ
２７Ｆ  フォーカスエリア
３３  ジャイロセンサ
５１  人物（所定の被写体）
【図１】
2010220023.tif 000003
【図２】
2010220023.tif 000004
【図３】
2010220023.tif 000005
【図４】
2010220023.tif 000006